(57)【要約】【課題】片側進入両側除圧術等を直視下または顕微鏡下で行う場合でも、手術施行時における神経損傷のリスクを低減し作業効率及び安全性を高めることが可能な手術用器具を提供する。【解決手段】手術用器具１は、把持部２と、把持部２から延出されたシャフト３と、シャフト３の先端に設けられた湾曲状のヘッド部４と、ヘッド部４の一部に設けられた平面状の鏡面５ａとを具備する。また、鏡面５ａは、ヘッド部４の内側の面４ａに設けられ、鏡面５ａの外周部５ｂは、ヘッド部４における鏡面５ａの周縁部４ｃとなだらかに連続している。【選択図】図１
2013220178.tif 000002
【特許請求の範囲】
【請求項１】
把持部と、
該把持部から延出されたシャフトと、
該シャフトの先端に設けられた湾曲状のヘッド部と、
該ヘッド部の一部に設けられた平面状の鏡面と
を具備することを特徴とする手術用器具。
【請求項２】
前記鏡面の外周部は、前記ヘッド部における前記鏡面の周縁部となだらかに連続していることを特徴とする請求項１に記載の手術用器具。
【請求項３】
前記鏡面は、前記ヘッド部の内側の面に設けられていることを特徴とする請求項１または請求項２に記載の手術用器具。
【発明の詳細な説明】
【技術分野】
【０００１】
本発明は、手術用器具に関し、特に、脊柱管狭窄症等の脊椎疾患に対する手術治療である「片側進入両側除圧術」等において使用される剥離子または鋭匙等の手術用器具に関するものである。
【背景技術】
【０００２】
図２（ａ）に示すように、脊椎１０には神経１１（具体的には神経根１２や馬尾１３と呼ばれる神経の束）を通す脊柱管１４があり、この脊柱管１４は神経１１を保護するために骨で囲まれている。ところが、加齢等で骨が変形し、さらにその骨を支えている黄色靭帯１５が肥厚すると、脊柱管１４の中で神経１１が圧迫されることにより、痛みや痺れを起こす。この状態がいわゆる脊柱管狭窄症であり、神経根１２が圧迫された場合には腰から足にかけて痛みや痺れの症状が現れることが多く、馬尾１３が圧迫された場合には、足の痺れ、麻痺、脱力感に加え、排泄障害が起こる場合もある。
【０００３】
脊柱管狭窄症の治療方法としては、薬物治療または理学療法等の保存的治療が行わることも多いが、それらの治療では病態が改善しない場合や、強い神経障害がある場合には、神経１１への圧迫を取り除く手術的治療が行われる。具体的には、図２（ｂ）に示すように、神経１１を圧迫しているもの（黄色靭帯１５または骨など）を直接取り除く「椎弓切除術」が行われている。なお、従来は、椎弓１６という神経１１の後方の骨を両側すべて切除する方法が一般的であったが、近年では、患者への負担を減らすため、椎弓１６の一部のみ（片側のみ）を切削する片側進入両側除圧術が広く行われるようになってきている。
【０００４】
この片側進入両側除圧術は、概略以下の方法で行われる。患者に麻酔を行った後、腹臥位とし、当該高位後方の皮膚（図示しない）を数センチメートル程度、必要な長さだけ切開する。その後、症状の重い側の椎弓１６に付いている筋肉（図示しない）を剥がし、椎弓１６を露出させる。次に、椎弓１６の片側のみを手術用ドリル等（図示しない）で削るとともに、神経１１の後側にある黄色靭帯１５を一部切除し神経１１を確認する。そして、神経１１を圧迫している黄色靭帯１５またはその他の骨を切除する。最後に、神経１１への圧迫がなくなったことを確認した後、各層を閉じる。
【０００５】
なお、黄色靭帯１５を切除する際には、図５に示すような剥離子または鋭匙等の手術用器具２０が用いられ、黄色靭帯１５が椎弓１６から剥離される。また、このような手術用器具２０は、作業の空間が確保されるように周囲の組織をよけるためにも用いられる。手術用器具２０は、使用者（医師）の手指で把持される把持部２１と、把持部２１から延出されたシャフト２２と、シャフト２２の先端に設けられ湾曲したヘッド部２３とから構成されている。
【発明の概要】
【発明が解決しようとする課題】
【０００６】
しかし、手術用ドリルで削られた椎弓１６の開口部分１８は比較的小さいため、上記の片側進入両側除圧術を直視下または顕微鏡下で行う場合、黄色靭帯１５の一部を視認することが困難となっていた。具体的には、棘突起１７または上関節突起１９が障害となって視野が制限され、斜線部分の黄色靭帯１５は視認することができるものの、視角範囲αに対して死角となる部分の黄色靭帯１５（斜線以外の部分）は視認することが困難であった。このため、術中の術者の手の感触等を頼りに剥離しなければならず、特に黄色靭帯１５の近くには神経１１が通っていることから、作業に伴う神経損傷のリスクを特に強く念頭に置くことが強いられ、この過程での作業効率は低下せざるを得ないものであった。同時に、より安全性の高い作業が求められていた。
【０００７】
そこで、本発明は、上記の実状に鑑み、片側進入両側除圧術等を直視下または顕微鏡下で行う場合でも、手術施行時における神経損傷のリスクを低減し作業効率及び安全性を高めることが可能な手術用器具を提供することを課題とするものである。
【課題を解決するための手段】
【０００８】
本発明にかかる手術用器具は、
「把持部と、
該把持部から延出されたシャフトと、
該シャフトの先端に設けられた湾曲状のヘッド部と、
該ヘッド部の一部に設けられた平面状の鏡面と
を具備する」
ことを特徴とするものである。
【０００９】
ここで、「手術用器具」としては、剥離子または鋭匙を例示することができる。また、「把持部」と「シャフト」、または「シャフト」と「ヘッド部」は、別々の部材で構成してもよく、一体に形成してもよい。なお、これらの材質は特に限定されるものではないが、鋼鉄製とすることができる。また、「鏡面」は、反射鏡を備えることにより形成してもよく、ヘッド部を光沢性のある金属で構成し、そのヘッド部の一部に平坦な面を作ることにより鏡面を形成してもよい。なお、反射鏡としては、強化ガラスに銀メッキをしたもの、メタクリル樹脂にアルミニウムを蒸着したもの、またはステンレス板からなるもの、を例示することができる。
【００１０】
本発明の手術用器具によれば、ヘッド部の一部に鏡面が設けられているため、片側進入両側除圧術等を直視下または顕微鏡下で行う場合に、黄色靭帯等の被切除物の一部が死角に入って直接視認できない場合でも、鏡面に映すことにより被切除物を視認することが可能となる。特に、鏡面は平面状であるため、実物大の像が映され、被切除物の大きさを正確に認識することが可能となる。
【００１１】
本発明にかかる手術用器具は、上記の構成に加え、
「前記鏡面の外周部は、前記ヘッド部における前記鏡面の周縁部となだらかに連続している」構成とすることができる。
【００１２】
本発明の手術用器具によれば、鏡面の外周部とヘッド部における鏡面の周縁部との境界部分に段差や角部が生じることがなく、ヘッド部全体を丸みのある形状とすることが可能となる。これによれば、平面状の鏡面を形成するにもかかわらず、組織にダメージを与えるおそれを低減することが可能となる。
【００１３】
本発明にかかる手術用器具は、上記の構成に加え、
「前記鏡面は、前記ヘッド部の内側の面に設けられている」構成とすることができる。
【００１４】
本発明の手術用器具によれば、鏡面がヘッド部の湾曲の内側の面に設けられているため、被切除物を切除する際のヘッド部の向きと、鏡面を介して被切除物を視認する際のヘッド部の向きとが一致する。また、被切除物の周囲の組織をよける場合には、湾曲の外側の面を周囲の組織に押し当てながら、鏡面を介して被切除物を視認することが可能となる。
【発明の効果】
【００１５】
このように、本発明によれば、片側進入両側除圧術等を直視下または顕微鏡下で行う場合でも、手術施行時における神経損傷のリスクを低減し作業効率及び安全性を高めることができる。
【図面の簡単な説明】
【００１６】
【図１】（ａ）は本実施形態の手術用器具の斜視図であり、（ｂ）は手術用器具のヘッド部の横端面図であり、（ｃ）はヘッド部の縦端面図である。
【図２】（ａ）は脊柱管狭窄症の状態の脊椎を示す説明図であり、（ｂ）は片側進入両側除圧術を示す説明図である。
【図３】（ａ）は黄色靭帯の一部を切除した状態の脊椎を示す説明図であり、（ｂ）は手術用器具の使用状態を示す説明図である。
【図４】他の実施形態の手術用器具を示す斜視図である。
【図５】従来の手術用器具を示す斜視図である。
【発明を実施するための形態】
【００１７】
以下、本実施形態の手術用器具１について、図１に基づき説明する。この手術用器具１は、脊柱管狭窄症または椎間板ヘルニア等の脊椎疾患に対する手術的治療、特に「片側進入両側除圧術」において使用可能なものであり、使用者の手指で把持される把持部２と、把持部２の両端（図１（ａ）では上端及び下端）から相反方向に延出された一対のシャフト３と、それぞれのシャフト３の先端に設けられた一対のヘッド部４と、それぞれのヘッド部４の一部に設けられた反射鏡５とを具備している。
【００１８】
把持部２、シャフト３、及びヘッド部４は、鋼鉄製であり一体的に構成されている。把持部２は平板状に形成され、シャフト３は略丸棒状に形成されている。ヘッド部４は、黄色靭帯１５（図２参照）等の被切除物を剥離して切開しやすいように杓子形に形成されている。ただし、ヘッド部４における内側の面４ａの一部（シャフト３側の部分）は、平面状となっており、反射鏡５を収容する凹部４ｂが形成されている。また、それぞれのヘッド部４は、湾曲の向きが互いに反対向きになるように形成されている。
【００１９】
反射鏡５は、ヘッド部４の凹部４ｂに嵌め込まれた状態で接着されており、その表面である鏡面５ａが平面となっている。凹部４ｂの深さは、反射鏡５の厚みに一致しており、鏡面５ａの外周部５ｂがヘッド部４における鏡面５ａの周縁部４ｃに対しなだらかに連続するように形成されている。つまり、鏡面５ａと周縁部４ｃとの境界部分には断面において段差や角部が生じることがなく、反射鏡５を含むヘッド部４全体が角部のない楕円形の横断面形状となるように形成されている。
【００２０】
なお、反射鏡５の材質及び形状は特に限定されるものではないが、本実施形態ではステンレス板によって形成され、反射鏡５の鏡面５ａが、手術用器具１の長さ方向に沿って長くなるように長方形状に形成されている。
【００２１】
次に、本実施形態の手術用器具１を用いた黄色靭帯１５の切除方法を、図３に基づいて例示する。図３（ａ）に示すように、椎弓１６の片側のみを手術用ドリル等（図示しない）で削った後、神経１１の後側にある黄色靭帯１５のうち、直接視認可能な部分を鋭匙などの手術用器具を用いて切除する。この状態では、黄色靭帯１５による神経１１への圧迫をある程度緩和することができるが、脊柱管１４の中に黄色靭帯１５の一部（すなわち直接視認することが困難な部分）が残されていることから、神経１１への圧迫を十分に取り除くことができない。そこで、次に図３（ｂ）に示すように、ヘッド部４の外側の面を神経１１に押し当てながら、その神経１１を黄色靭帯１５からよけるように移動させる。この際、ヘッド部４の内側の面４ａに設けられた反射鏡５の鏡面５ａに、直接視認が不可能であった黄色靭帯１５が映るため、鏡面５ａを介して黄色靭帯１５を視認することが可能となる。そこで、黄色靭帯１５を視認しながら、残された黄色靭帯１５を鋭匙などの手術用器具を用いて切除する。
【００２２】
このように、本実施形態の手術用器具１によれば、ヘッド部４に反射鏡５が設けられているため、黄色靭帯１５等の被切除物の一部が死角に入って直接視認できない場合でも、鏡面５ａに映すことにより被切除物を視認することができる。特に、鏡面５ａは平面状であるため、実物大の像が映し出され、被切除物の大きさを正確に認識することができる。また、被切除物の周囲の組織をよける場合には、ヘッド部４の外側の面を周囲の組織に押し当てながら、鏡面５ａを介して被切除物を視認することが可能となる。さらに、鏡面５ａを含むヘッド部４全体が丸みのある形状となっているため、平面状の鏡面５ａを形成するにもかかわらず、組織にダメージを与えるおそれを低減することが可能となる。したがって、片側進入両側除圧術等を直視下または顕微鏡下で行う場合でも、手術施行時における神経損傷のリスクを低減し作業効率及び安全性を高めることができる。
【００２３】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００２４】
上記実施形態では、ヘッド部４に反射鏡５を配設するものを示したが、図４に示すように、手術用器具８におけるヘッド部９を光沢性のある金属で構成し、そのヘッド部９の一部に平坦な面を作ることにより鏡面９ａを形成してもよい。これによれば、鏡面９ａの外周部９ｂと、ヘッド部９における鏡面９ａの周縁部９ｃとの境界が不明瞭となり、よりなだらかに連続する形状とすることが可能となる。また、反射鏡５が不要になるとともに、ヘッド部９の形状も凹部等を備えない簡易なものとなるため、安価に提供することが可能になる。
【００２５】
また、上記実施形態では、把持部２の両側にそれぞれシャフト３及びヘッド部４を備えるものを示したが、シャフト及びヘッド部を一組のみ備える手術用器具においても本発明を適用することができる。また、一対のヘッド部４にそれぞれ反射鏡５を備えるものを示したが、いずれか一方のヘッド部４にのみ反射鏡５を備えるようにしてもよい。また、一対のヘッド部４における湾曲の向きを互いに反対向き（１８０度異なる向き）とするものを示したが、互いに同一の向き、またはシャフトを中心に所定角度変位した向きとすることもできる。
【００２６】
また、上記実施形態では、ヘッド部４の内側の面４ａのみに鏡面５ａを形成するものを示したが、ヘッド部４の外側の面にも鏡面を形成するようにしてもよい。
【００２７】
さらに、上記実施形態では、手術用器具１として剥離子様の手術用器具を示したが、鋭匙等の手術用器具に本発明を適用することも可能である。
【符号の説明】
【００２８】
１，８  手術用器具
２  把持部
３  シャフト
４，９  ヘッド部
４ｃ，９ｃ  周縁部
５  反射鏡
５ａ，９ａ  鏡面
５ｂ，９ｂ  外周部
【図１】
2013220178.tif 000003
【図２】
2013220178.tif 000004
【図３】
2013220178.tif 000005
【図４】
2013220178.tif 000006
【図５】
2013220178.tif 000007